(57)【要約】      （修正有）【課題】個人認証等のための情報の格納負荷を容易に軽減した入退室管理システムを提供する。【解決手段】入室用及び退室用個人情報読取り装置ＣＲＩ１、ＣＲＯ１を有しこれらが読み取った来場者の個人情報と予め登録された個人情報との照合結果に基づき入退室管理を行う主入退室管理装置１と、入室用及び退室用個人情報読取り装置ＣＲＩ２、ＣＲＯ２、ＣＲＩ３、ＣＲＯ３を有しこれらが読み取った来場者の個人情報と主入退室管理装置から予め配信されて記憶した主入退室管理装置で読み取りを行った来場者の個人情報との照合結果に基づき入退室管理を行う少なくとも１つの副入退室管理装置２，３と、を備え、主入退室管理装置が退室用個人情報読取り装置で個人情報を読み取って来場者の退室操作を行った後に、副入退室管理装置に対して退室する来場者の個人情報の削除指令を送る。【選択図】図１
2007233576.tif 000002
【特許請求の範囲】
【請求項１】
入室用及び退室用個人情報読取り装置を有しこれらが読み取った来場者の個人情報と予め登録された個人情報との照合結果に基づき入退室管理を行う主入退室管理装置と、入室用及び退室用個人情報読取り装置を有しこれらが読み取った来場者の個人情報と上記主入退室管理装置から予め配信されて記憶した主入退室管理装置で読み取りを行った来場者の個人情報との照合結果に基づき入退室管理を行う少なくとも１つの副入退室管理装置と、を備え、上記主入退室管理装置が退室用個人情報読取り装置で個人情報を読み取って来場者の退室操作を行った後に、上記副入退室管理装置に対して退室する来場者の個人情報の削除指令を送ることを特徴とする入退室管理システム。
【請求項２】
上記各副入退室管理装置がそれぞれが管理する機密エリアに設けられ、上記主入退室管理装置に入室が許可されている機密エリアを示す機密エリア情報が来場者毎にさらに登録されており、上記主入退室管理装置が上記機密エリア情報に基づき、入室が許可されている機密エリアの上記副入退室管理装置にのみ上記個人情報の配信及び個人情報の削除指令の送信を行うことを特徴とする請求項１に記載の入退室管理システム。
【請求項３】
上記主入退室管理装置が入退室管理を行う施設の外周に設けられた外周用入退室管理装置からなり、上記各副入退室管理装置が上記施設内の各機密エリアに対してそれぞれ設けられた内部用入退室管理装置からなることを特徴とする請求項１又は２に記載の入退室管理システム。
【発明の詳細な説明】
【技術分野】
【０００１】
この発明は、オフィースビルや工場など、ある閉じられた空間内の人の出入りを管理する入退室管理システムに関する。
【背景技術】
【０００２】
従来、例えば受付装置から入力された来場者の個人情報、会社名、電話番号、訪問先部署担当者情報、来場者の生体識別情報に、受付日時、入室許可期間、許可エリア情報を付加して来場者管理情報として保存し、受付装置から入力された生体識別情報を機密エリアに設けられた生体識別情報照合機にイーサネット（登録商標）通信回線を介して送信し、来場者が機密エリアに来場した際に生体識別情報照合機により照合して特定場所の入退室を管理するものがある(例えば特許文献１参照)。
【０００３】
【特許文献１】特開２００１−１８２３９５号公報
【発明の開示】
【発明が解決しようとする課題】
【０００４】
このように、入退室管理システムにおいて、受付装置で得られた生体識別情報を各機密エリアに設けられた生体識別情報照合機に送信することで、それぞれの生体識別情報照合機に全ての情報を持たせるのに比べて、情報を格納しておく負荷を抑制することができるが、さらなる情報を格納しておく負荷を抑制することが望まれている。
【０００５】
この発明は、個人認証等のための情報の格納負荷を容易に軽減することができる入退室管理システムを提供することを目的とする。
【課題を解決するための手段】
【０００６】
この発明は、入室用及び退室用個人情報読取り装置を有しこれらが読み取った来場者の個人情報と予め登録された個人情報との照合結果に基づき入退室管理を行う主入退室管理装置と、入室用及び退室用個人情報読取り装置を有しこれらが読み取った来場者の個人情報と上記主入退室管理装置から予め配信されて記憶した主入退室管理装置で読み取りを行った来場者の個人情報との照合結果に基づき入退室管理を行う少なくとも１つの副入退室管理装置と、を備え、上記主入退室管理装置が退室用個人情報読取り装置で個人情報を読み取って来場者の退室操作を行った後に、上記副入退室管理装置に対して退室する来場者の個人情報の削除指令を送ることを特徴とする入退室管理システムにある。
【発明の効果】
【０００７】
この発明では、個人認証等のための情報の格納負荷を容易に軽減することができる入退室管理システムを提供できる。
【発明を実施するための最良の形態】
【０００８】
図１はこの発明による入退室管理システムの構成の一例を示す図である。入退室管理システムが設置された施設１０の受付に当たる外周ゲートＧ１には、主入退室管理装置である外周用入退室管理装置１が設けられている。外周用入退室管理装置１は、入室用カードリーダＣＲＩ１、退室用カードリーダＣＲＯ１、外周ゲートＧ１の施解錠を行う電気錠Ｅ１の入退室操作の制御を行うと共に、来場者のＩＤ情報、入室が許可されている機密エリアを示す機密エリア情報等を含む個人情報が予め格納されたメモリＭ１を有する。
【０００９】
また施設１０内部の機密エリア１１，１２の内部ゲートＧ２，Ｇ３には、副入退室管理装置である内部用入退室管理装置２、３がそれぞれ設けられている。内部用入退室管理装置２、３はそれぞれ、入室用カードリーダＣＲＩ２，ＣＲＩ３、退室用カードリーダＣＲＯ２，ＣＲＯ３、内部ゲートＧ２，Ｇ３の施解錠を行う電気錠Ｅ２，Ｅ３の入退室操作の制御を行うと共に、来場者の個人情報を一時的に記憶するメモリＭ２，Ｍ３を有する。そして外周用入退室管理装置１、内部用入退室管理装置２、３がネットワーク４でそれぞれ接続されている。
【００１０】
実施の形態１．
図２はこの発明の実施の形態１における外周用入退室管理装置１の動作を概略的に示すフローチャートであり、以下動作について説明する。なお、個人情報は少なくとも来場者のＩＤ情報を含むものとする。外周用入退室管理装置１のメモリＭ１には、このシステムを使用して出入する可能性のある来場者全員の個人情報を予め登録させておく。来場者Ａが施設１０の外周の外周ゲートＧ１にある入室用カードリーダＣＲＩ１でカード(図示省略)を操作することで(有接触でも非接触でも可)、外周用入退室管理装置１がカード内の個人情報を読み取ると(ステップＳ１)、メモリＭ１内の個人情報との照合が行われ、両者が一致して登録されていることが確認されると(ステップＳ２)、外周ゲートＧ１の電気錠Ｅ１を解錠して入室を許可する入室操作を行う(ステップＳ３)。
【００１１】
そして操作されたのが入室用カードリーダＣＲＩ１であれば(ステップＳ４)、ネットワーク４を介して内部用入退室管理装置２、３に入室を許可した来場者Ａの個人情報をそれぞれ配信し、メモリＭ２，Ｍ３に保持させる(ステップＳ５)。そして、外周ゲートＧ１が開いた後に閉まったら、電気錠Ｅ１を施錠する(ステップＳ６)。
【００１２】
その後、来場者Ａが例えば施設１０内部の機密エリア１１に行って、入室用カードリーダＣＲＩ２でカード(図示省略)を操作すると、内部用入退室管理装置２はカード内の個人情報を読み取り、さらに内部用入退室管理装置２は外周用入退室管理装置１から配信された来場者Ａの個人情報をメモリＭ２に保持しているので、メモリＭ２内の個人情報との照合が行われ、両者が一致して登録されていることが確認されると、内部ゲートＧ２の電気錠Ｅ２を解錠して入室を許可する入室操作が行われる。これは、機密エリア１２の内部用入退室管理装置３の場合も同様の動作となる。
【００１３】
また退室時は、来場者Ａが外周ゲートＧ１にある退室用カードリーダＣＲＯ１でカードを操作することで、外周用入退室管理装置１がカード内の個人情報を読み取ると(ステップＳ１)、メモリＭ１内の個人情報との照合が行われ、両者が一致して登録されていることが確認されると(ステップＳ２)、外周ゲートＧ１の電気錠Ｅ１を解錠して退室を許可する退室操作を行う(ステップＳ３)。
【００１４】
そして操作されたのが退室用カードリーダＣＲＯ１であれば(ステップＳ４)、ネットワーク４を介して内部用入退室管理装置２、３に来場者Ａの個人情報をメモリＭ２，Ｍ３からそれぞれ削除させる削除指令を送る(ステップＳ７)。これにより内部用入退室管理装置２、３は来場者Ａの個人情報をメモリＭ２，Ｍ３からそれぞれ削除する。そして外周用入退室管理装置１は、外周ゲートＧ１が開いた後に閉まったら、電気錠Ｅ１を施錠する(ステップＳ６)。
【００１５】
これにより、内部用入退室管理装置２、３には、外周用入退室管理装置１にて入室状態にある来場者についての個人情報のみを保持するだけでよくなる。また、外周用入退室管理装置１にて入室許可されていない場合には、内部用入退室管理装置２、３には個人情報が存在しないため、不正な入室ができない。
【００１６】
実施の形態２．
図３はこの発明の実施の形態２における外周用入退室管理装置１の動作を概略的に示すフローチャートであり、以下動作について説明する。なおこの実施の形態では、外周用入退室管理装置１のメモリＭ１には入室が許可されている機密エリアを示す機密エリア情報が来場者毎にさらに登録されている。外周用入退室管理装置１のメモリＭ１には、このシステムを使用して出入する可能性のある来場者全員の個人情報を予め登録させておく。来場者Ａが施設１０の外周の外周ゲートＧ１にある入室用カードリーダＣＲＩ１でカード(図示省略)を操作することで、外周用入退室管理装置１がカード内の個人情報を読み取ると(ステップＳ１)、メモリＭ１内の個人情報との照合が行われ、両者が一致して登録されていることが確認されると(ステップＳ２)、外周ゲートＧ１の電気錠Ｅ１を解錠して入室を許可する入室操作を行う(ステップＳ３)。
【００１７】
そして操作されたのが入室用カードリーダＣＲＩ１であれば(ステップＳ４)、来場者Ａの入室が許可されている機密エリアを示す機密エリア情報に基づいて、例えば来場者Ａが機密エリア１１への入室が許可されている場合には、ネットワーク４を介して内部用入退室管理装置２ｂのみに来場者Ａの個人情報を配信し、メモリＭ２に保持させる(ステップＳ５)。そして、外周ゲートＧ１が開いた後に閉まったら、電気錠Ｅ１を施錠する(ステップＳ６)。
【００１８】
その後、来場者Ａが例えば施設１０内部の機密エリア１１に行って、入室用カードリーダＣＲＩ２でカード(図示省略)を操作すると、内部用入退室管理装置２はカード内の個人情報を読み取り、さらに内部用入退室管理装置２は外周用入退室管理装置１から配信された来場者Ａの個人情報をメモリＭ２に保持しているので、メモリＭ２内の個人情報との照合が行われ、両者が一致して登録されていることが確認されると、内部ゲートＧ２の電気錠Ｅ２を解錠して入室を許可する入室操作が行われる。なお、来場者Ａが機密エリア１２への入室が許可されている場合の、機密エリア１２の内部用入退室管理装置３の動作もこれと同じもとなる。
【００１９】
また退室時は、来場者Ａが外周ゲートＧ１にある退室用カードリーダＣＲＯ１でカードを操作することで、外周用入退室管理装置１がカード内の個人情報を読み取ると(ステップＳ１)、メモリＭ１内の個人情報との照合が行われ、両者が一致して登録されていることが確認されると(ステップＳ２)、外周ゲートＧ１の電気錠Ｅ１を解錠して退室を許可する退室操作を行う(ステップＳ３)。
【００２０】
そして操作されたのが退室用カードリーダＣＲＯ１であれば(ステップＳ４)、ネットワーク４を介して内部用入退室管理装置２に来場者Ａの個人情報をメモリＭ２から削除させる削除指令を送る(ステップＳ７)。これにより内部用入退室管理装置２は来場者Ａの個人情報をメモリＭ２から削除する。そして外周用入退室管理装置１は、外周ゲートＧ１が開いた後に閉まったら、電気錠Ｅ１を施錠する(ステップＳ６)。
【００２１】
これにより、外周用入退室管理装置１から内部用入退室管理装置２、３への配信量を削減することができる。また、入室を許可されていない内部用入退室管理装置３には個人情報が存在しないため、不正な入室ができない。
【００２２】
なお、来場者Ａの機密エリア情報が、機密エリア１１，１２の双方に入室が許可されていることを示す場合には、内部用入退室管理装置２，３の双方に個人情報の配信と個人情報の削除指令の送信が行われる。
【００２３】
また、個人情報としては、上記ＩＤ情報の他に、個人名、会社名、電話番号、訪問先部署担当者情報、さらに外周用入退室管理装置１で追加される受付日時、入室許可期間等が含まれていてもよい。
【００２４】
また、上記各実施の形態ではＩＤ情報である個人情報をカードから、入室用及び退室用個人情報読取り装置である各入室用及び退室用カードリーダで読み取っているが、例えばＩＤ情報を生体識別情報とした場合には入室用及び退室用個人情報読取り装置としてそれぞれ生体識別情報読み取り装置を使用する。
【図面の簡単な説明】
【００２５】
【図１】この発明による入退室管理システムの構成の一例を示す図である。
【図２】この発明の実施の形態１における外周用入退室管理装置の動作を概略的に示すフローチャートである。
【図３】この発明の実施の形態２における外周用入退室管理装置の動作を概略的に示すフローチャートである。
【符号の説明】
【００２６】
１  外周用入退室管理装置(主入退室管理装置)、２，３  内部用入退室管理装置(副入退室管理装置)、４  ネットワーク、１０  施設、１１，１２  機密エリア、ＣＲＩ１，ＣＲＩ２，ＣＲＩ３  入室用カードリーダ(入室用個人情報読取り装置)、ＣＲＯ１，ＣＲＯ２，ＣＲＯ３  退室用カードリーダ(退室用個人情報読取り装置)、Ｅ１〜Ｅ３  電気錠、Ｇ１  外周ゲート、Ｇ２，Ｇ３  内部ゲート、Ｍ１，Ｍ２，Ｍ３  メモリ。
【図１】
2007233576.tif 000003
【図２】
2007233576.tif 000004
【図３】
2007233576.tif 000005